(57)【要約】【課題】  他のシステムに割り当てられた周波数帯域を使用して通信を行う無線通信システム及び無線通信方法であって、他のシステムの通信に与える干渉を抑制し、自己の通信を継続して行うことができる無線通信システム及び無線通信方法を提供する。【解決手段】  無線端末１１−１は、周波数帯域１〜Ｌの中から無線端末１１−２との通信に使用する候補周波数帯域Ａ〜Ｃを選択する。無線端末１１−１がデータを送信するスロット７には、候補周波数帯域Ａ〜ＣのキャリアセンスＣＳを行うキャリアセンスＣＳ区間７０１とデータの送信を行う送信区間７０２がある。無線端末１１−１は、まずキャリアセンスＣＳ区間において候補周波数帯域Ａ〜ＣのキャリアセンスＣＳを行った後に、「空き」候補周波数帯域を用いて送信区間７０２にてデータを送信する。【選択図】  図８
2007300421.tif 000002
【特許請求の範囲】
【請求項１】
通信相手に対して信号を一定のタイムスロットで送信する無線局において、
通信開始前にＬ個（Ｌ≧２）の周波数帯域の第１のキャリアセンスを行い、前記タイムスロットの先頭のキャリアセンス区間にて、Ｍ個（Ｌ≧Ｍ≧２）の周波数帯域の第２のキャリアセンスを行うキャリアセンス手段と、
前記第１のキャリアセンスの結果、前記Ｌ個の周波数帯域の中から使用されていない前記Ｍ個の周波数帯域を選択し、前記第２のキャリアセンスの結果、前記Ｍ個の周波数帯域の中から使用されていない送信周波数帯域を決定する制御部と、
前記キャリアセンス区間に続く送信区間にて、前記制御部が決定した前記送信周波数帯域を使用して信号を送信する送信手段と
を備えたことを特徴とする無線局。
【請求項２】
前記制御部は、前記Ｍ個の周波数帯域のキャリアセンスを行った結果、使用されていないと検出された複数の周波数帯域の中から、送信に使用する前記送信周波数帯域として、前回の送信に使用した周波数帯域を選択することを特徴とする請求項１に記載する無線局。
【請求項３】
前記無線局は、前記Ｍ個の周波数帯域が信号送信に使用された回数を記憶する記憶部をさらに備え、前記制御部は、前記Ｍ個の周波数帯域の中から前記送信周波数帯域を選択する場合に、前記記憶部を参照し、使用された回数が多い周波数帯域を優先的に選択することを特徴とする請求項１に記載する無線局。
【請求項４】
前記制御部は、異なる時間長を持つ複数のキャリアセンス区間の中から、ランダムに１つのキャリアセンス区間を選択し、前記Ｍ個の周波数帯域のキャリアセンスを行うことを特徴とする請求項１に記載する無線局。
【請求項５】
前記無線局は、前記Ｌ個の周波数帯域が信号送信に使用された回数を記憶する記憶部をさらに備え、前記制御部は、前記Ｌ個の周波数帯域の中から前記Ｍ個の周波数帯域を選択する場合に、前記記憶部を参照し、使用された回数が多い周波数帯域を優先的に選択することを特徴とする請求項１に記載する無線局。
【請求項６】
第１の無線局と第２の無線局が一定のタイムスロットを用いて通信を行う無線通信システムであって、
前記第１の無線局は、
前記タイムスロットの先頭のキャリアセンス区間にて、Ｍ個（Ｍ≧２）の周波数帯域のキャリアセンスを行うキャリアセンス手段と、
前記キャリアセンスの結果、使用されていない周波数帯域の中から前記送信周波数帯域を決定する第１の制御部と、
前記キャリアセンス区間に続く送信区間にて、前記制御部が決定した前記送信周波数帯域を使用して既知信号系列及びデータを送信する第１の送信手段と
を備え
前記第２の無線局は、
前記タイムスロットの検出区間にて前記Ｍ個の周波数帯域の信号を受信し、前記検出区間に続く受信区間にて前記Ｍ個の周波数帯域の中から１つの周波数帯域の信号を受信する受信手段と
前記受信手段が前記検出区間にて受信した信号と前記既知信号と同じ系列の信号との相関値を元に、前記受信手段が前記受信区間にて受信する周波数帯域を決定する第2の制御部とを備える
ことを特徴とする無線通信システム。
【請求項７】
前記受信手段は、前記検出区間をＭ個に時分割し、前記Ｍ個の周波数帯域の信号を順次受信し、前記制御手段は、前記受信手段が前記検出区間で受信した前記周波数帯域の信号と、前記既知信号と同じ系列の信号との相関値を算出することを特徴とする請求項６に記載の無線通信システム。
【請求項８】
前記第２の制御部が、前記Ｍ個の周波数帯域の１つを前記受信区間にて受信する周波数帯域と決定した場合、前記受信手段は、残りの周波数帯域の信号の受信を省略することを特徴とする請求項７に記載の無線通信システム。
【請求項９】
前記第１の制御部は、前記Ｍ個の周波数帯域のキャリアセンスを行った結果、使用されていないと検出された複数の周波数帯域の中から、送信に使用する前記送信周波数帯域として、前回の送信に使用した周波数帯域を選択することを特徴とする請求項６に記載する無線通信システム。
【請求項１０】
前記第１の無線局は、前記Ｍ個の周波数帯域が信号送信に使用された回数を記憶する記憶部をさらに備え、前記制御部は、前記Ｍ個の周波数帯域の中から前記送信周波数帯域を選択する場合に、前記記憶部を参照し、使用された回数が多い周波数帯域を優先的に選択することを特徴とする請求項６に記載する無線通信システム。
【請求項１１】
前記第１の制御部は、通信を開始する前に、前記第１のキャリアセンス手段によってＬ（Ｌ≧Ｍ）個の周波数帯域のキャリアセンスを行い、前記Ｌ個の周波数帯域の中から使用されていないＭ個の周波数帯域を選択することを特徴とする請求項６に記載する無線通信システム。
【請求項１２】
前記第１の無線局は、前記Ｌ個の周波数帯域が信号送信に使用された回数を記憶する記憶部をさらに備え、前記制御部は、前記Ｌ個の周波数帯域の中から前記Ｍ個の周波数帯域を選択する場合に、前記記憶部を参照し、使用された回数が多い周波数帯域を優先的に選択することを特徴とする請求項１１に記載する無線通信システム。
【請求項１３】
前記第１の無線局は、通信開始要求信号及び前記第１の制御部が選択したＭ個の周波数帯域の情報を、前記第２の無線局に通知することを特徴とする請求項９に記載する無線通信システム。
【請求項１４】
前記第１の無線局は、前記第１の制御部が選択したＭ個の周波数帯域の情報及び通信開始要求信号の送信に使用する通信開始用周波数帯域の情報を、前記第２の無線局に通知し、前記第２の無線局が前記通信開始要求信号を前記第１の無線局へ通知する場合、前記第２の制御部は、異なる時間長を持つ複数のキャリアセンス区間の中から、ランダムに１つのキャリアセンス区間を選択し、前記通信開始用周波数帯域のキャリアセンスを行うことを特徴とする請求項９に記載する無線通信システム。
【請求項１５】
第１の無線局と第２の無線局が一定のタイムスロットを用いて通信を行う無線通信方法であって、
前記第１の無線局は、
キャリアセンス手段が、前記タイムスロットの先頭のキャリアセンス区間にて、Ｍ個（Ｍ≧２）の周波数帯域のキャリアセンスを行い、
第１の制御部が前記キャリアセンスの結果、使用されていない周波数帯域の中から前記送信周波数帯域を決定し、
第１の送信手段が前記キャリアセンス区間に続く送信区間にて、前記制御部が決定した前記送信周波数帯域を使用して既知信号系列及びデータを送信することで、
前記第２の無線局へ信号を送信し、
前記第２の無線局は、
受信手段が前記タイムスロットの検出区間にて前記Ｍ個の周波数帯域の信号を受信し、
第2の制御部が、前記受信手段によって前記検出区間で受信された信号と前記既知信号と同じ系列の信号との相関値を元に、前記受信手段が前記受信区間にて受信する周波数帯域を決定し、
前記受信手段が、前記検出区間に続く受信区間で前記制御部が決定した周波数帯域の信号を受信することで、
前記第１の無線局が送信した信号を受信する
ことを特徴とする無線通信方法。
【発明の詳細な説明】
【技術分野】
【０００１】
本発明は、無線局、無線通信システム及び無線通信方法に関する。
【背景技術】
【０００２】
自己に割り当てられたライセンスバンドのみを利用して通信を行う従来の無線通信システムに対し、自己に割り当てられていない周波数帯域を一時的に他のシステムと共有することで、周波数利用効率を向上させる認知無線（ｃｏｇｎｉｔｉｖｅ  ｒａｄｉｏ）技術を用いた無線通信システムが提案されている（例えば、非特許文献１参照。）。
【０００３】
この認知無線技術を用いたシステム１は、自己に割り当てられたライセンスバンドＬＢ１以外の周波数帯域（例えば、システム２に割り当てられたライセンスバンドＬＢ２）のキャリアセンスを行い、システム２が使用していないライセンスバンドＬＢ２を検出する。システム１は、この検出したライセンスバンドＬＢ２の一部を、自己の無線装置間の通信に動的に配分し、ライセンスバンドＬＢ２を一時的にシステム２と共有することで、周波数利用効率を向上させている。
【０００４】
しかしながら、この認知無線技術を用いた無線通信システムでは、ライセンスバンドＬＢ２の共有を前提としているため、通信に使用する周波数チャネルが常に使用できる環境にあるとは限らない。さらに、システム２に属する無線装置間の通信に対して干渉を与えてはならないため、システム１に属する無線装置が通信中であったとしても、ライセンスバンドＬＢ２を使用する無線装置との干渉が判明した場合には、直ちに通信を停止しなければならない。
【０００５】
そこで、他の無線装置と干渉せずにライセンスバンドを共有する無線通信システムとして、無線通信システムに割り当てられたライセンスバンドを複数の基地局で共有し、互いに干渉を避けつつ、無線端末との通信に周波数チャネルを動的に割り当てる無線通信システムが知られている（例えば、特許文献１参照。）。
【０００６】
特許文献１に記載される無線通信システムでは、基地局が広帯域受信手段を用いてライセンスバンドの使用状況を定期的に検出している。基地局は、この広帯域受信手段によって受信された信号を解析することにより、各周波数チャネルにおける干渉量を測定し、干渉量が大きい周波数チャネルを次回からの通信に使用しないようにする。これにより、１つのライセンスバンドを共有する基地局が複数あっても、互いに干渉することなく、無線端末と通信を行うことが可能となる。
【非特許文献１】Ｊ．Ｍｉｔｏｌａ  ＩＩＩ他、”Ｃｏｇｎｉｔｉｖｅ  Ｒａｄｉｏ；  Ｍａｋｉｎｇ  Ｓｏｆｔｗａｒｅ  Ｒａｄｉｏｓ  Ｍｏｒｅ  Ｐｅｒｓｏｎａｌ”、ＩＥＥＥ  Ｐｅｒｓｏｎａｌ  Ｃｏｍｍｕｎｉｃａｔｉｏｎｓ  Ｍａｇａｚｉｎｅ，  Ａｕｇｕｓｔ．１９９９
【特許文献１】特開２００２−３００６３０号公報
【発明の開示】
【発明が解決しようとする課題】
【０００７】
しかしながら、特許文献１に記載される無線通信システムに属する基地局ＢＳ１は、ライセンスバンドの使用状況の検出を定期的にしか行っていない。そのため、この基地局ＢＳ１が、他の基地局ＢＳ２に干渉を与えてしまっても、次にライセンスバンドの使用状況を検出するまで、この干渉を検出できず、他の基地局ＢＳ２に干渉を与え続けてしまうというという問題がある。
【０００８】
また、ライセンスバンドの使用状況を検出した結果、干渉しているとされた周波数チャネルは、次に干渉していないと検出されるまで使用することができないため、干渉しているとされた周波数チャネルが増加すると、基地局ＢＳ１は、無線端末との通信を継続させることが難しくなるという問題がある。
【０００９】
本発明は、上記従来技術の問題点を解決するためになされたものであって、他の通信に与える干渉を抑制し、自己の通信を継続して行うことができる無線通信システム及び無線通信方法の提供を目的とする。
【課題を解決するための手段】
【００１０】
上記目的を達成するために、本発明の無線局は、通信相手に対して信号を一定のタイムスロットで送信する無線局において、通信開始前にＬ個（Ｌ≧２）の周波数帯域の第１のキャリアセンスを行い、前記タイムスロットの先頭のキャリアセンス区間にて、Ｍ個（Ｌ≧Ｍ≧２）の周波数帯域の第２のキャリアセンスを行うキャリアセンス手段と、前記第１のキャリアセンスの結果、前記Ｌ個の周波数帯域の中から使用されていない前記Ｍ個の周波数帯域を選択し、前記第２のキャリアセンスの結果、前記Ｍ個の周波数帯域の中から使用されていない送信周波数帯域を決定する制御部と、前記キャリアセンス区間に続く送信区間にて、前記制御部が決定した前記送信周波数帯域を使用して信号を送信する送信手段とを備えたことを特徴とする。
【００１１】
また、本発明の無線通信システムは、第１の無線局と第２の無線局が一定のタイムスロットを用いて通信を行う無線通信システムであって、前記第１の無線局は、前記タイムスロットの先頭のキャリアセンス区間にて、Ｍ個（Ｍ≧２）の周波数帯域のキャリアセンスを行うキャリアセンス手段と、前記キャリアセンスの結果、使用されていない周波数帯域の中から前記送信周波数帯域を決定する第１の制御部と、前記キャリアセンス区間に続く送信区間にて、前記制御部が決定した前記送信周波数帯域を使用して既知信号系列及びデータを送信する第１の送信手段とを備え前記第２の無線局は、前記タイムスロットの検出区間にて前記Ｍ個の周波数帯域の信号を受信し、前記検出区間に続く受信区間にて前記Ｍ個の周波数帯域の中から１つの周波数帯域の信号を受信する受信手段と前記受信手段が前記検出区間にて受信した信号と前記既知信号と同じ系列の信号との相関値を元に、前記受信手段が前記受信区間にて受信する周波数帯域を決定する第2の制御部とを備えることを特徴とする。
【００１２】
また、本発明の無線通信方法は、第１の無線局と第２の無線局が一定のタイムスロットを用いて通信を行う無線通信方法であって、前記第１の無線局は、キャリアセンス手段が、前記タイムスロットの先頭のキャリアセンス区間にて、Ｍ個（Ｍ≧２）の周波数帯域のキャリアセンスを行い、第１の制御部が前記キャリアセンスの結果、使用されていない周波数帯域の中から前記送信周波数帯域を決定し、第１の送信手段が前記キャリアセンス区間に続く送信区間にて、前記制御部が決定した前記送信周波数帯域を使用して既知信号系列及びデータを送信することで、前記第２の無線局へ信号を送信し、前記第２の無線局は、受信手段が前記タイムスロットの検出区間にて前記Ｍ個の周波数帯域の信号を受信し、第2の制御部が、前記受信手段によって前記検出区間で受信された信号と前記既知信号と同じ系列の信号との相関値を元に、前記受信手段が前記受信区間にて受信する周波数帯域を決定し、前記受信手段が、前記検出区間に続く受信区間で前記制御部が決定した周波数帯域の信号を受信することで、前記第１の無線局が送信した信号を受信することを特徴とする。
【発明の効果】
【００１３】
本発明の無線通信システム及び無線通信方法によれば、他の通信に与える干渉を抑制し、自己の通信を継続して行うことができる。
【発明を実施するための最良の形態】
【００１４】
以下、本発明の実施例を、図面を参照して説明する。
【実施例１】
【００１５】
図１乃至図１３を用いて、本発明の第１の実施例に係る無線通信システムについて説明する。
【００１６】
図１は、本実施例に係る無線通信システムの概略を示す図である。  
本実施例に係る無線通信システム（以下、システム１と称する。）は、自己に割り当てられていない周波数帯域を一時的に使用して通信を行うシステムである。システム１は、例えばシステム１とは異なる無線通信システム（以下、システム２と称する。）に割り当てられたライセンスバンドＬＢ２の一部を、システム２と共有して通信を行う。
【００１７】
そこで、まずシステム２の概要について説明する。図１に示すシステム２には、例えば基地局２０と無線端末２１が属している。この基地局２０と無線端末２１は、基地局２０の通信エリア２２内において、ライセンスバンドＬＢ２を一定の帯域幅ｈに分割した周波数チャネルを用いて通信を行っている。
【００１８】
一方、システム１には、無線端末１１−１，１１−２が属している。この無線端末１１−１，１１−２は、通信エリア２２内においてライセンスバンドＬＢ２の一部の周波数帯域を使用しながら互いに通信を行っている。
【００１９】
次に、図２乃至図５を用いて、無線端末１１−１，１１−２が通信に使用する周波数帯域について説明する。図２は、システム１の通信で使用可能な周波数帯域を示した図である。
【００２０】
無線端末１１−１，１１−２は、ライセンスバンドＬＢ２を帯域幅Ｍの周波数帯域１〜Ｌに分割し、この周波数帯域１〜Ｌのいずれかの中からＮ個の候補周波数帯域を選択し、この候補周波数帯域を用いて通信を行う。帯域幅Ｍは、基地２０が使用する周波数チャネルの帯域幅ｈと同じでも異なっていてもよい。
【００２１】
なお、周波数帯域１〜Ｌは、図２のように連続している必要はなく、例えば図３に示すように、ライセンスバンドＬＢ２の中から任意に選択してもよい。また図４に示すように、システム２に割り当てられたライセンスバンドＬＢ２だけでなく、例えばシステム３に割り当てられたライセンスバンドＬＢ３も含めた周波数帯域をＬ個に分割してもよい。
【００２２】
続いて図５を用いて、無線端末１１−１，１１−２の間の通信に使用する候補周波数帯域を説明する。図５は、無線端末１１−１，１１−２の間の通信に使用する周波数帯域の候補を示した図である。ここでは、無線端末１１−１が候補周波数帯域の選択を行う場合について説明するが、この選択は、通信を開始しようとする無線端末が行えばよく、無線端末１１−２が行ってもよい。
【００２３】
まず、無線端末１１−１は、通信を開始する前に、周波数帯域１〜ＬのキャリアセンスＣＳを行い、使用状況を検出する。次に無線端末１１−１は、この検出結果をもとに通信に使用する候補周波数帯域をＮ個選択する。以下の説明では、図５に示すように、Ｎ＝３とし、無線端末１１−１は、キャリアセンスＣＳの結果、周波数帯域１〜Ｌから候補周波数帯域Ａ，Ｂ，Ｃを選択するものとし、この候補周波数帯域Ａ，Ｂ，Ｃの選択方法の詳細は後述する。なお、キャリアセンスＣＳとは、各周波数帯域の信号の受信電力を閾値判定することにより、各周波数帯域が「使用中」であるか「空き」であるかを判断することとする。ここでは、キャリアセンスＣＳに受信電力を用いているが、受信電界強度などを用いてもよい。
【００２４】
次に、図６を用いて、無線端末１１−１の構成を説明する。図６は、無線端末１１−１の構成を示すブロック図である。なお、無線端末１１−２の構成は、無線端末１１−１と同じであるため説明を省略する。
【００２５】
無線端末１１−１は、アンテナ１１０と、送信系ＲＦ無線部１２１、受信系ＲＦ無線部１２２、Ａ／Ｄ変換部１２３、Ｄ／Ａ変換部１２４を備えたアナログ信号処理部１２０と、このアナログ信号処理部１２０に接続されたディジタル信号処理部１３０と、各部の制御を行う制御部１４０と、制御部１４０に接続された記憶部１５０を有している。
【００２６】
続いて各部の詳細を説明する。  
まず、アナログ信号処理部１２０が備える受信系ＲＦ無線部１２２は、アンテナ１１０が受信した信号に対して周波数変換等の処理を行い、受信アナログ信号へ変換する。続くＡ／Ｄ変換部１２３は、受信系ＲＦ無線部１２２より入力された受信アナログ信号を受信ディジタル信号へと変換し、ディジタル信号処理部１３０へと出力する。
【００２７】
ディジタル信号処理部１３０は、Ａ／Ｄ変換部１２３より入力された受信ディジタル信号を処理し、受信データを得る。また、このディジタル信号処理部１３０は、送信データを送信ディジタル信号へと変換し、Ｄ／Ａ変換部１２４へと出力する。
【００２８】
Ｄ／Ａ変換部１２４は、ディジタル信号処理部１３０より入力された送信ディジタル信号を、送信アナログ信号へと変換し、送信系ＲＦ無線部１２１へと出力する。送信系ＲＦ無線部１２１は、Ｄ／Ａ変換部１２４より入力された送信アナログ信号に対して周波数変換等の処理を行い送信信号へと変換し、アンテナ１１０から送信する。
【００２９】
また、制御部１４０は、アナログ信号処理部１２０及びディジタル信号処理部１３０を制御し、送受信の切り替えを行うとともに、記憶部１５０に記憶された情報をもとに、通信に使用する周波数帯域を決定する。制御部１４０に接続された記憶部１５０は、各周波数帯域１〜Ｌの過去の使用履歴などを記憶している。
【００３０】
ここで、図７乃至図９を用いて、無線端末１１−１，１１−２の間の通信で使用するフレーム６の構成について説明する。無線端末１１−１，１１−２は、ＴＤＤ（Ｔｉｍｅ  Ｄｉｖｉｓｉｏｎ  Ｄｕｐｌｅｘ）方式を用いて通信を行う。この通信では、無線端末１１−１が無線端末１１−２に対して通信の開始を要求するものとし、ＴＤＤ方式による通信の時間的な同期は、無線端末１１−１が最初に送信した通信要求信号のスロットタイミングと同期を取るものとする。
【００３１】
図７は、無線端末１１−１，１１−２が通信に用いるフレーム６の時間的構成を示す図である。まず、無線端末１１−１は、スロット７を用いて信号を送信する。次に、この信号を受信した無線端末１１−２は、スロット７に続くスロット８を用いて信号を送信する。このスロット７とスロット８をあわせてフレーム６とし、無線端末１１−１，１１−２は、このフレーム６を繰り返して通信を行う。
【００３２】
次に図８及び図９を用いて、スロット７の詳細を説明する。  
図８は、無線端末１１−１が送信に用いるスロット７の時間的構成を示す図である。無線端末１１−１が送信に用いるスロット７は、候補周波数帯域Ａ，Ｂ，Ｃが使用可能か否かを検出するキャリアセンスＣＳ区間７０１と、信号を送信する送信区間７０２を有している。無線端末１１−１は、キャリアセンスＣＳ区間７０１を時分割し、候補周波数帯域Ａから順にキャリアセンスＣＳを行う。キャリアセンスＣＳの結果、使用していない「空き」周波数帯域（図７では、候補周波数帯域Ｃ）を検出した無線端末１１−１は、この周波数帯域Ｃを用いて、送信区間７０２で信号を送信する。この送信区間７０２に送信する信号は、既知信号系列とデータとで構成される。
【００３３】
次に図９は、無線端末１１−２が受信に用いるスロット７の時間的構成を示す図である。無線端末１１−２が受信に用いるスロット７は、待機区間７１１と、無線端末１１−１が送信する既知系列の検出を行う検出区間７１２と、既知系列に続くデータを受信する受信区間７１３を有している。無線端末１１−２は、無線端末１１−１がキャリアセンスＣＳをしている間、待機している。そのため、無線端末１１−２が受信に用いるスロット７は、キャリアセンスＣＳ区間７０１と同じ時間長の待機区間７１１を有している。
【００３４】
次に無線端末１１−２は、検出区間７１２を時分割し、候補周波数帯域Ａから順に、予め保持している既知系列と同じ信号系列と受信信号との相関値を算出する。無線端末１１−２は、この算出結果をもとに相関値が最大となる周波数帯域（図９では、候補周波数帯域Ｃ）を検出し、無線端末１１−１がこの候補周波数帯域Ｃを用いて信号を送信したと判断する。そこで、無線端末１１−２は、候補周波数帯域Ｃの信号を受信し、既知系列に続くデータを得る。
【００３５】
次に無線端末１１−１，１１−２の動作を説明する。  
まず、図６を用いて無線端末１１−１がデータを送受信する場合の動作を説明する。なお、無線端末１１−２の動作は、無線端末１１−１と同じであるため説明を省略する。
【００３６】
アプリケーションデータや制御部１４０が生成する制御データなどの送信データを送信する場合、この送信データは、ディジタル信号処理部１３０において、誤り訂正符号化等の処理が行われるとともに、所定の変調方式にて変調され、送信ディジタル信号としてＤ／Ａ変換部１２４へ出力される。次にＤ／Ａ変換部１２４は、入力された送信ディジタル信号を送信アナログ信号へと変換し、送信系ＲＦ無線部１２１へ出力する。送信系ＲＦ無線部１２１は、入力された送信アナログ信号に対して、直交変調、アップコンバート、帯域制限、電力増幅等の無線処理を行い、無線信号を生成する。生成された無線信号は、アンテナ１１０を介して無線端末１１−２へ送信される。
【００３７】
なお、この送信系ＲＦ無線部１２１にて処理される無線信号の周波数帯域は、制御部１４０からの通知により決定される。
【００３８】
次に無線端末１１−１がデータを受信する場合について説明する。アンテナ１１０により受信された無線信号は、受信系ＲＦ無線部１２２に入力される。受信系ＲＦ無線部１２２は、入力された無線信号に対して、電力増幅、帯域制限、ダウンコンバート、直交復調等の無線処理を行い受信アナログ信号を生成し、Ａ／Ｄ変換部１２３へ出力する。Ａ／Ｄ変換部１２３は、入力された受信アナログ信号を受信ディジタル信号へ変換し、ディジタル信号処理部１３０へ出力する。次にディジタル信号処理部１３０は、入力された受信ディジタル信号を復調するとともに誤り訂正復号等の処理を行うことで受信データを得る。なお、この受信系ＲＦ無線部１２２にて処理される無線信号の周波数帯域は、制御部１４０からの通知により決定される。
【００３９】
続いて、図１０を用いて、無線端末１１−１と無線端末１１−２が通信を開始するまでの処理を説明する。図１０は、無線端末１１−１と無線端末１１−２が通信を開始するまでのシーケンスを示す図である。なお、図１０では、例えば無線端末１１−１が無線端末１１−２に対して無線通信開始を要求することで通信が開始される場合の例を示しているが、無線端末１１−２が無線端末１１−１に対して無線通信開始を要求してもよい。
【００４０】
まず、無線端末１１−１の制御部１４０は、無線端末１１−２と通信を開始する前に、周波数帯域１〜Ｌの全てに対して周波数帯域１から順次キャリアセンスＣＳを行う（ステップＳ１０１）。そのため、まず制御部１４０は、受信系ＲＦ無線部１２２へ周波数帯域１〜Ｌの受信電力を測定するよう指示する。受信系ＲＦ無線部１２２は、この指示に従い、各周波数帯域１〜Ｌの受信電力を測定する。次に制御部１４０は、受信系ＲＦ無線部１２２が測定した受信電力と既定の閾値Ｔｈ１を比較する。比較の結果、制御部１４０は、受信電力が閾値Ｔｈ１以上である周波数帯域を「使用中」と判断し、閾値Ｔｈ１未満であれば「空き」と判断する。
【００４１】
制御部１４０は、「空き」と判断された周波数帯域の中からＮ個の周波数帯域を、通信に使用する候補周波数帯域として選択する。このとき、「空き」と判断された周波数帯域がＮ個以上存在する場合、制御部１４０は、記憶部１５０が記憶している周波数帯域１〜Ｌの過去の使用履歴を参照し、過去に使用した回数が多いものを順に候補周波数帯域として選択する。このＮ個の候補周波数帯域は、例えば周波数帯域の高いものから優先的に選択してもよく、またランダムに選択してもよい。ここでは、選択する候補周波数帯域の個数をＮ＝３とし、周波数帯域１〜Ｌの中から候補周波数帯域Ａ，Ｂ，Ｃを選択したものとする（ステップＳ１０２）。
【００４２】
次に、無線端末１１−１の制御部１４０は、通信開始を要求するために用いる周波数帯域を、候補周波数帯域Ａ，Ｂ，Ｃの中から１つ選択し、送信系ＲＦ無線部１２１へ通知する。ここでは、候補周波数帯域Ａを選択したものとする（ステップＳ１０３）。
【００４３】
制御部１４０は、スロット７のキャリアセンスＣＳ区間７０１（図７参照）で候補周波数帯域ＡのキャリアセンスＣＳを行うため、受信系ＲＦ無線部１２２に対して候補周波数帯域Ａの受信電力を測定するよう指示する。受信系ＲＦ無線部１２２は、制御部１４０からの指示に従い、候補周波数帯域Ａの受信電力を測定し結果を通知する。制御部１４０は、受信系ＲＦ無線部１２２が測定した受信電力が一定値以下であるならば、候補周波数帯域Ａは「空き」であると判断し、送信系ＲＦ無線部１２１に通信開始要求信号と候補周波数帯域Ａ，Ｂ，Ｃの情報を送信するよう指示する。指示を受けた送信系ＲＦ無線部は、図７のスロット７を用いて信号を送信する（ステップＳ１０４）。通信相手である無線端末１１−２は、候補周波数帯域の個数がＮ＝３であることは知っているが、周波数帯域１〜Ｌの中からどの周波数帯域が選択されるかまでは知らない。そこで、無線端末１１−１は、通信開始要求信号とともに候補周波数帯域Ａ，Ｂ，Ｃの情報も送信する。この通信開始要求信号と候補周波数帯域Ａ，Ｂ，Ｃの情報は、無線端末１１−２が送信する通信許可信号を検出するまで繰り返し送信される。
【００４４】
一方、無線端末１１−２は、通信開始要求信号がどの周波数帯域を用いて送信されるか知らないため、周波数帯域１〜Ｌの全てについて通信開始要求信号が送信された否かを判断する。これは、通信開始要求信号の先頭に配置される既知系列を検出したか否かによって判断する。無線端末１１−２は、受信系ＲＦ無線部１２２にマッチドフィルタ等を備えており、これを用いて予め記憶している既知系列と同じ信号系列と、受信した信号の先頭の系列の相関値を算出する。次に、無線端末１１−２の制御部１４０は、算出した相関値と既定の閾値Ｔｈ２を比較し、閾値Ｔｈ２以上となった周波数帯域を通信開始要求信号が送信された周波数帯域だと判断する（ステップＳ１０５）。
【００４５】
無線端末１１−２は、ステップＳ１０５で判断した周波数帯域（図１０では候補周波数帯域Ａ）を用いて送信された通信開始要求信号を受信する。無線端末１１−２は、通信開始要求信号の既知系列を利用してスロット７の同期を検出し、既知系列に続く通信開始要求信号と候補周波数帯域Ａ，Ｂ，Ｃの情報を受信する（ステップＳ１０６）。
【００４６】
ステップＳ１０６で通信開始要求信号を受信した無線端末１１−２は、通信開始要求信号が送信されたスロット７に続くスロット（図７のスロット８）を用いて、通信許可信号を送信する（ステップＳ１０７）。この送信には、無線端末１１−１が通信開始要求信号の送信に使用した候補周波数帯域Ａを使用する。
【００４７】
次に、無線端末１１−１は、通信開始要求信号を送信したスロット７に続くスロット８を観測し、このスロット８で通信許可信号を受信したか否かを検出する（ステップＳ１０８）。無線端末１１−１が、無線端末１１−２が送信する通信許可信号を受信した後は、無線端末１１−１，１１−２の間で、候補周波数帯域Ａ、Ｂ，Ｃのいずれかを用いた通信が行われる。
【００４８】
続いて、図１１を用いて、通信開始後に無線端末１１−１，１１−２の間で行われる通信について説明する。図１１は、無線端末１１−１，１１−２の間で行われる通信のシーケンスを示す図である。ここでは、無線端末１１−１が無線端末１１−２へデータを送信する場合について説明するが、無線端末１１−２がデータを送信する場合も同様にして通信を行う。
【００４９】
まず、無線端末１１−１の制御部１４０は、候補周波数帯域Ａ，Ｂ，ＣのキャリアセンスＣＳを行う。まず、制御部１４０は、受信系ＲＦ無線部１２２によって測定された各候補周波数帯域Ａ，Ｂ，Ｃの受信電力と、既定の閾値Ｔｈ３を比較する。次に、制御部１４０は、受信電力が閾値Ｔｈ３以上である候補周波数帯域を「使用中」と判断し、閾値Ｔｈ３未満である候補周波数帯域を「空き」と判断する（ステップＳ２０１）。
【００５０】
制御部１４０は、「空き」と判断された候補周波数帯域を１つ選択し、送信系ＲＦ無線部１２１に選択した候補周波数帯域を通知する（ステップＳ２０２）。ここでは、候補周波数帯域Ｃを選択したものとする。
【００５１】
次に、無線端末１１−１の送信系ＲＦ無線部１２１は、この候補周波数帯域Ｃを用いて、送信区間７０２（図８を参照。）に既知系列とデータを送信する（ステップＳ２０３）。送信後、無線端末１１−１の制御部１４０は、記憶部１５０に記憶している各周波数帯域１〜Ｌの使用履歴のうち、ステップＳ２０３の送信に使用した候補周波数帯域の使用回数を「１」増やし、使用履歴を更新する（ステップＳ２０４）。
【００５２】
一方、受信側の無線端末１１−２は、無線端末１１−１がキャリアセンスＣＳを行っている間（図９の待機区間７１１。）、待機している（ステップＳ２０５）。待機後、候補周波数帯域Ａ，Ｂ，Ｃの信号を受信し、既知系列の検出を行う（ステップＳ２０６）。無線端末１１−２の制御部１４０は、受信系ＲＦ無線部１２２が持つマッチドフィルタを利用して受信した信号と予め保持している既知系列と同じ信号系列の相関値を算出し、算出した相関値を閾値判定することによって検出する。ここでは、候補周波数帯域Ｃの信号から既知系列を検出する。
【００５３】
無線端末１１−２は、ステップＳ２０６で既知系列を検出した候補周波数帯域Ｃの信号を引き続き受信し、検出区間７１２に続く受信区間７１３（図９を参照。）において、データを受信する（ステップＳ２０７）。
【００５４】
ここで図１２を用いて、ステップＳ２０２で「空き」と検出した候補周波数帯域が複数存在する場合に、この複数の候補周波数帯域の中から１つを選択する方法を説明する。図１２は、無線端末１１−１がキャリアセンスＣＳを行った結果を示す図である。無線端末１１−１は、キャリアセンスＣＳを行い、図１２（ａ）に示すような結果が得られた後に、再びキャリアセンスＣＳを行い、図１２（ｂ）に示すような結果を得たものとする。
【００５５】
まず、無線端末１１−１がキャリアセンスＣＳを行った結果、図１２（ａ）に示すように候補周波数帯域Ｃが「空き」と検出された場合、無線端末１１−１は、この候補周波数帯域Ｃを用いてデータを送信し、記憶部１５０の周波数帯域１〜Ｌの使用履歴を更新し、候補周波数帯域Ｃを使用したことを記憶する。
【００５６】
次に、無線端末１１−１がキャリアセンスＣＳを行った結果、図１２（ｂ）に示すように候補周波数帯域Ａ，Ｃが「空き」と検出された場合、無線端末１１−１は、記憶部１５０を参照し、１つ前の送信に使用した候補周波数帯域Ｃを優先的に選択する。
【００５７】
図１２（ｂ）では、「空き」と検出された複数の候補周波数帯域の中から、１つ前の送信に使用したものを優先的に使用したが、例えば図１２（ｃ）に示すように、キャリアセンスＣＳ結果、候補周波数帯域Ａ，Ｂが「空き」と検出された場合は、１つ前の送信で使用した候補周波数帯域Ｃが「使用中」であるため、これを選択できない。そこでこの場合は、候補周波数帯域Ａ，Ｂのどちらかをランダムに選択してもよく、また受信電力が低い方の候補周波数帯域を選択してもよい。また、「空き」と検出した時刻が送信区間７０２にもっとも近いという基準で候補周波数帯域を選択しても良い。
【００５８】
以上のように第１の実施例によれば、無線端末１１−１は、スロットの先頭で、使用できる全ての周波数帯域のキャリアセンスＣＳを行うのではなく、この全周波数帯域の中から候補周波数帯域Ａ，Ｂ，Ｃを選択してキャリアセンスＣＳを行うため、スロットという短い時間間隔で信号送信に使用する周波数帯域のキャリアセンスＣＳが行え、通信途中に発生した干渉をすぐ検出することができる。また、干渉を検出した候補周波数帯域は、信号送信に使用しないことで、システム２に属する基地局２０と無線端末２１との間の通信に与える干渉を抑制することができる。さらに、無線端末１−２は、通信開始時に無線端末１−１から通知された候補周波数帯域Ａ，Ｂ，Ｃの受信信号と予め記憶している既知信号と同じ系列信号の相関値を元に、信号送信に使用された周波数帯域を検出するため、無線端末１−１は、あらかじめ信号送信に使用する周波数帯域を無線端末１−２に通知する必要がなく、スロット毎に異なった候補周波数帯域で信号を送信することが可能となる。さらに、無線端末１１−１，１１−２の間の通信に使用する候補周波数帯域を複数選択しておくことで、１つの候補周波数帯域がシステム２の通信に使用されていても、無線端末１１−１，１１−２は、残りの使用されていない候補周波数帯域を使用することができ、通信を中断させることなく継続して行うことができる。
【実施例２】
【００５９】
次に図１３乃至図１５を用いて、本発明の第２の実施例に係る無線通信システムについて説明する。
【００６０】
図１３は、本実施例に係る無線通信システムの概略を示す図である。本実施例に係る無線通信システムは、自己に割り当てられていない周波数帯域を一時的に使用して通信を行うシステムである点では第１の実施例に示すシステム１と同じであるが、この無線通信システムに属する無線端末同士が通信を行うのではなく、基地局１０と複数の無線端末１１−３，１１−４，・・・が通信を行う点が異なっている。
【００６１】
また、基地局１０と複数の無線端末１１−３，１１−４，・・・の通信に使用する周波数帯域１〜Ｌ及び候補周波数帯域は、図２乃至図５に示す周波数帯域と同じであり、基地局１０と複数の無線端末１１−３，１１−４，・・・の構成及び動作は、図６に示す無線端末１１−１と同じであるため、同一符号を付し説明を省略する。なお、以下の説明では、複数の無線端末１１−３，１１−４，・・・の個数を「３」とするが、これに限られるものではなく、無線端末は、任意の個数であってよい。
【００６２】
次に図１４を用いて、基地局１０と複数の無線端末１１−３〜１１−５の間の通信で使用するフレーム構成を説明する。図１４は、基地局１０と複数の無線端末１１−３〜１１−５が通信に使用するフレームの時間的構成を示す図である。
【００６３】
このフレームは、基地局１０が複数の無線端末１１−３〜１１−５へ制御情報を送信するための制御用下りスロット７０と基地局１０が各無線端末１１−３〜１１−５へデータを送信するためのユーザ用下りスロット７１〜７３と、各無線端末１１−３〜１１−５が基地局１０へデータを送信するためのユーザ用上りスロット８１〜８３を有している。ユーザ用下りスロット７１〜７３とユーザ用上りスロット８１〜８３は、それぞれ対応しており、例えばユーザ用下りスロット７１でデータを受信した無線端末１１−３は、ユーザ用上りスロット８１を用いて基地局へデータを送信する。なお各スロットの時間的構成は、図８及び図９に示すスロット７の構成を同じであるため、同一符号を付し説明を省略する。
【００６４】
続いて図１５を用いて、基地局１０と無線端末１１−３〜１１−５通信を開始するまでの動作を説明する。図１５は、基地局１０と無線端末１１−３が通信を開始するまでのシーケンスを示す図である。基地局１０は、無線端末１１−３〜１１−５と通信を行うが、ここでは無線端末１１−３と通信を開始するまでのシーケンスを説明する。なお、基地局１０が候補周波数帯域Ａ，Ｂ，Ｃを選択するステップは、図１０に示すステップＳ１０１及びステップＳ１０２と同じであるため、同一符号を付し説明を省略する。
【００６５】
候補周波数帯域Ａ，Ｂ，Ｃを選択した基地局１０は、制御用下りスロット７０を用いて制御情報を送信する（ステップＳ３０３）この送信には、制御用下りスロット７０のキャリアセンスＣＳ区間７０１で検出した「空き」候補周波数帯域のいずれか１つを使用する。あるいは、候補周波数帯域Ａ，Ｂ，Ｃのいずれか１つを制御情報の送信に使用する周波数帯域と予め決定しておき、この決定した候補周波数帯域のキャリアセンスＣＳを行い、「空き」と検出されたときにのみ制御情報を送信してもよい。なお、制御用下りスロット７０を用いて送信される制御情報には、候補周波数帯域Ａ，Ｂ，Ｃの情報、ユーザ用下りスロット７１〜７３とユーザ用上りスロット８１〜８３が使用されているか否か（以下、スロット割り当て情報と称する。）、及び無線端末１１−３〜１１−５が通信開始要求信号を送信する際に使用する候補周波数帯域の情報が含まれている。
【００６６】
一方、無線端末１１−３は、周波数帯域１〜Ｌの全てに対して制御情報の検出を試みる（ステップＳ３０４）。これは、無線端末１１−３は候補周波数帯域の数は知っているが、基地局１０が周波数帯域１〜Ｌの中からどれを選択したかまでは知らないためである。無線端末１１−３は、受信系ＲＦ無線部１２２が有するマッチドフィルタ等を用いて、受信信号と制御情報の既知系列と同じ信号系列の相関値を算出し、この相関値を閾値判定することによって制御情報を検出する。
【００６７】
続いて、制御情報を検出した無線端末１１−３は、この制御情報から候補周波数帯域Ａ，Ｂ，Ｃの情報、スロット割り当て情報、及び通信開始要求信号を送信する際に使用する候補周波数帯域情報を得る（ステップＳ３０５）。このとき得られたスロット割り当て情報は、ユーザ用下りスロット７１〜７３及びユーザ用上りスロット８１〜８３の全てが使用されないものであり、通信開始要求信号の送信に使用する周波数帯域には、候補周波数帯域Ａが指定されていたものとする。
【００６８】
次に無線端末１１−３は、ユーザ用上りスロット８１〜８３の中から使用されていないものを選択し、選択したスロットを用いて通信開始要求信号を候補周波数帯域Ａを使用して送信する（ステップＳ３０６）。ここでは、ユーザ用上りスロット８１〜８３の全てが使用されていないため、無線端末１１−３は、例えばスロット番号の小さいスロット８１を選択する。
【００６９】
一方、基地局１０は、ユーザ用上りスロット８１〜８３で、候補周波数帯域Ａを使用して送信される信号を観測しており、無線端末１１−３が送信する通信開始要求信号を検出する（ステップＳ３０７）。
【００７０】
通信開始要求信号を検出した基地局１０は、送信されたユーザ用上りスロット８１に対応するユーザ用下りスロット７１を用いて通信許可信号を送信する（ステップＳ３０８）。無線端末１１−３がこの通信許可信号を受信した後は、基地局１０と無線端末１１−３は、候補周波数帯域Ａ，Ｂ，Ｃのいずれかを用いて通信を行う。
【００７１】
なお、この基地局１０と無線端末１１−３の通信のシーケンスは、図１１に示すシーケンスと同じであるため、説明を省略する。
【００７２】
以上のように第２の実施例によれば、基地局と複数の無線端末１１−３〜１１−５が通信を行う場合であっても、基地局１０及び無線端末１１−３が、スロット単位で、送信に使用する候補周波数帯域のキャリアセンスＣＳを行うことで、システム２の通信に与える干渉を抑制することができる。また、基地局１０と無線端末１１−３〜１１−５の間の通信に使用する候補周波数帯域を複数選択しておくことで、１つの候補周波数帯域がシステム２の通信に使用されていても、基地局１０と無線端末１１−３〜１１−５は、残りの使用されていない候補周波数帯域を使用することができ、通信を中断させることなく継続して行うことができる。
【実施例３】
【００７３】
次に図１６を用いて、本発明の第３の実施例に係る無線通信システムについて説明する。
【００７４】
本実施例に係る無線通信システムは、図９に示すスロット７の検出区間７１２の時間的構成が異なる点を除き、第１の実施例に係る無線通信システムと同じであるため、同一符号を付し説明を省略する。
【００７５】
図１６を用いて本実施例に係るスロット７の時間的構成について説明する。図１６は、無線端末１１−２が受信に用いるスロット７の時間的構成を示す図である。
【００７６】
無線端末１１−２が受信に用いるスロット７は、待機区間７１１と、無線端末１１−１が送信する既知系列の相関検出を行う検出区間７１２と、既知系列に続くデータを受信する受信区間７１３を有している。
【００７７】
無線端末１１−２は、無線端末１１−１のキャリアセンスＣＳ区間７０１は待機している。そのため、無線端末１１−２が受信に用いるスロット７は、キャリアセンスＣＳ区間７０１と同じ時間長の待機区間７１１を有している。次に無線端末１１−２は、検出区間７１２を時分割し、候補周波数帯域Ａから順に、受信信号と予め保持している既知系列と同じ信号系列の相関値を算出し、算出した相関値と閾値Ｔｈ３を比較する。相関値がＴｈ３以上であった場合は、その候補周波数帯域を用いて信号が送信されたと判断し、次の候補周波数帯域の検出は行わず、続く受信区間にてデータを受信する。
【００７８】
例えば図１６に示すように、候補周波数帯域Ａから順に既知系列を検出した結果、候補周波数帯域Ｂで既知系列を検出した。この場合、次の候補周波数帯域Ｃでの既知系列の検出は行わず、候補周波数帯域Ｂの信号を受信する。
【００７９】
以上のように第３の実施例によれば、第１の実施例と同様の効果が得られるとともに、スロット７の検出区間７１２において、例えば候補周波数帯域Ｂで既知系列が検出された場合、次の候補周波数帯域Ｃでの検出を省略することによって、受信系ＲＦ無線部１２２の周波数切り替え処理を省略することができ、受信時の制御を簡略化することができる。
【００８０】
なおここでは、第１の実施例に係る無線通信システムの図９に示すスロット７の代わりに、図１６に示すスロットを用いた無線通信システムについて説明したが、第２の実施例に係る無線通信システムでも同様に、図９に示すスロット７の代わりに図１６に示すスロットを用いてもよい。
【実施例４】
【００８１】
次に図１７を用いて、本発明に係る第４の実施例に係る無線通信システムについて説明する。
【００８２】
本実施例に係る無線通信システムは、無線端末１１−３が通信開始要求信号の送信に用いるユーザ用上りスロット８１〜８３の時間的構成を除き、第２の実施例に係る無線通信システムと同じであるため、その同一の構成および動作には同一符号を付し説明を省略する。
【００８３】
図１７を用いて、無線端末１１−３が通信開始要求信号の送信に用いるユーザ用上りスロットの時間的構成を説明する。図１７は、無線端末１１−３が通信開始要求信号の送信に用いるユーザ用上りスロット８１の時間的構成を示す図である。通信開始要求信号の送信に使用する周波数帯域は、基地局１０によって予め指定されている。ここでは、候補周波数帯域Ａが指定されたものとして説明する。
【００８４】
無線端末１１−３は、キャリアセンスＣＳ区間７０１を用いて、候補周波数帯域ＡのキャリアセンスＣＳを行い、この候補周波数帯域Ａが使用されていないことを確認してから、通信開始要求信号を送信する。このとき無線端末１１−３は、例えば図１７（ａ）〜（ｃ）に示すように、予め長さの異なるキャリアセンスＣＳ区間７０１を３つ用意しておき、この中から１つをランダムに選択して候補周波数帯域ＡのキャリアセンスＣＳを行う。なお、ユーザ用上りスロット８１の時間長は一定であるため、キャリアセンスＣＳ区間７０１が短い場合は、その後に続く送信区間７０２が長くなってしまう。そこで、キャリアセンスＣＳ区間７０１が短い場合は、通信開始要求信号の後ろにダミーデータを送信するなどして信号長を調整する。
【００８５】
以上のように第４の実施例によれば、第２の実施例と同様の効果が得られるとともに、複数の無線端末１１−３〜１１−５が同じユーザ用上りスロット８１を用い、同時に通信開始要求信号を送信しようとする場合でも、長さの異なるキャリアセンスＣＳ区間７０１をランダムに選択することで、複数の無線端末１１−３〜１１−５が同時に、周波数帯域Ａが「空き」であると検出する確率が小さくなり、通信開始要求信号の衝突を低減することができる。
【００８６】
なお、本発明は上記実施例そのままに限定されるものではなく、実施段階ではその要旨を逸脱しない範囲で構成要素を変形して具体化できる。また、上記実施例に開示されている複数の構成要素の適宜な組み合わせにより、種々の発明を形成できる。例えば、実施例に示される全構成要素から幾つかの構成要素を削除してもよい。さらに、異なる実施例にわたる構成要素を適宜組み合わせてもよい。
【図面の簡単な説明】
【００８７】
【図１】本発明の第１の実施例に係る無線通信システムの概略を示す図。
【図２】本発明の第１の実施例に係るシステム１の通信で使用可能な周波数帯域を示した図。
【図３】本発明の第１の実施例に係るシステム１の通信で使用可能な周波数帯域の変形例を示した図。
【図４】本発明の第１の実施例に係るシステム１の通信で使用可能な周波数帯域の変形例を示した図。
【図５】無線端末１１−１，１１−２の間の通信に使用する周波数帯域の候補を示した図。
【図６】本発明の第１の実施例に係る無線端末１１−１の構成を示すブロック図。
【図７】本発明の第１の実施例に係る無線端末１１−１，１１−２が通信に用いるフレーム６の時間的構成を示す図。
【図８】本発明の第１の実施例に係る無線端末１１−１が送信に用いるスロット７の時間的構成を示す図。
【図９】本発明の第１の実施例に係る無線端末１１−２が受信に用いるスロット７の時間的構成を示す図。
【図１０】本発明の第１の実施例に係る無線端末１１−１と無線端末１１−２が通信を開始するまでのシーケンスを示す図。
【図１１】本発明の第１の実施例に係る無線端末１１−１，１１−２の間で行われる通信のシーケンスを示す図。
【図１２】本発明の第１の実施例に係る、無線端末１１−１がキャリアセンスＣＳを行った結果を示す図。
【図１３】本発明の第２の実施例に係る無線通信システムの概略を示す図。
【図１４】本発明の第２の実施例に係る基地局１０と複数の無線端末１１−３〜１１−５が通信に使用するフレームの時間的構成を示す図。
【図１５】本発明の第２の実施例に係る基地局１０と無線端末１１−３が通信を開始するまでのシーケンスを示す図。
【図１６】本発明の第３の実施例に係る無線端末１１−２が受信に用いるスロット７の時間的構成を示す図。
【図１７】本発明の第４の実施例に係る無線端末１１−３が通信開始要求信号の送信に用いるユーザ用上りスロット８１の時間的構成を示す図。
【符号の説明】
【００８８】
１０，２０・・・基地局
１１−１，１１−２，１１−３，１１−４，１１−５，２１・・・無線端末
２２・・・通信エリア
１１０・・・アンテナ
１２０・・・アナログ信号処理部
１２１・・・送信系ＲＦ無線部
１２２・・・受信系ＲＦ無線部
１２３・・・Ａ／Ｄ変換部
１２４・・・Ｄ／Ａ変換部
１３０・・・ディジタル信号処理部
１４０・・・制御部
１５０・・・記憶部
６・・・フレーム
７，７０，７１，７２，７３，８１，８２，８３，８・・・スロット
７０１・・・キャリアセンスＣＳ区間
７０２・・・送信区間
７１１・・・待機区間
７１３・・・検出区間
７１４・・・受信区間
【図１】
2007300421.tif 000003
【図２】
2007300421.tif 000004
【図３】
2007300421.tif 000005
【図４】
2007300421.tif 000006
【図５】
2007300421.tif 000007
【図６】
2007300421.tif 000008
【図７】
2007300421.tif 000009
【図８】
2007300421.tif 000010
【図９】
2007300421.tif 000011
【図１０】
2007300421.tif 000012
【図１１】
2007300421.tif 000013
【図１２】
2007300421.tif 000014
【図１３】
2007300421.tif 000015
【図１４】
2007300421.tif 000016
【図１５】
2007300421.tif 000017
【図１６】
2007300421.tif 000018
【図１７】
2007300421.tif 000019